(57)【要約】      （修正有）  【課題】ＬＥＤランプの光源であるＬＥＤチップの有する高指向性及び低発熱性に着目し、その特性を利用して新規な用途を備えたＬＥＤランプを提供すること【解決手段】放熱体１１と、放熱体１１の一端に取り付けた口金１２と、放熱体１１の他端に装着した透光性プラスチック材から成るグローブ１３と、ＬＥＤチップ１４を実装したモジュール基板１５と、ＬＥＤチップ１４に電力を供給する点灯回路１６とを備え、モジュール基板１５と点灯回路１６を放熱体１１に取り付けてＬＥＤチップ１４をグローブ１３で覆い、点灯回路１６と口金１２を電気的に接続したＬＥＤランプ１０であって、文字、記号若しくは図柄１８ａを表面に形成した透光性シート１８をＬＥＤチップ１４の直前に位置するように放熱体内又はグローブ内に固定し、グローブ１３の頂部に透光性シート１８の文字、記号若しくは図柄１８ａを拡大投影するためのレンズ部１３ｂを形成する。【選択図】図１
2013051029.tif 000002
【特許請求の範囲】
【請求項１】
放熱体と、放熱体の一端に取り付けた口金と、放熱体の他端に装着した透光性のガラス又はプラスチック材から成るグローブと、ＬＥＤチップを実装したモジュール基板と、ＬＥＤチップに電力を供給する点灯回路とを備え、モジュール基板を放熱体に取り付けてＬＥＤチップをグローブで覆い、点灯回路と口金を電気的に接続したＬＥＤランプであって、
文字、記号若しくは図柄を表面に形成した透光性シートを前記ＬＥＤチップの直前に位置するように前記放熱体内又はグローブ内に固定し、
前記グローブの頂部に透光性シートの前記文字、記号若しくは図柄を拡大投影するためのレンズ部を形成したことを特徴とする。
【請求項２】
前記透光性シートが液晶パネルであることを特徴とする請求項１に記載のＬＥＤランプ。
【請求項３】
前記グローブがプラスチック成型品であって、一端に開口を形成し、他端に頂面を形成した筒構造を有し、一端開口を前記放熱体の他端に進退可能に装着し、前記頂面にレンズ部を一体成形したことを特徴とする請求項１に記載のＬＥＤランプ。
【請求項４】
前記透光性シートを取り外し可能に固定したことを特徴とする請求項３に記載のＬＥＤランプ。
【発明の詳細な説明】
【技術分野】
【０００１】
本発明は、ＬＥＤチップを光源として内蔵するＬＥＤランプに関する。
【背景技術】
【０００２】
近時、消費電力の大きい白熱電球に代えて、消費電力の少ないＬＥＤを光源として用いるＬＥＤランプの需要が高まっている。
一般に、この種のＬＥＤランプは熱伝導性に優れたアルミニウムなどの金属性放熱体と、放熱体の一端に取り付けた口金と、半球状の頂部を有し、放熱体の他端に装着した透光性のガラス又はプラスチック材から成るグローブと、ＬＥＤチップを実装したモジュール基板と、ＬＥＤチップに電力を供給する点灯回路とを備え、モジュール基板と点灯回路を放熱体に取り付けてＬＥＤチップをグローブで覆い、点灯回路と口金を電気的に接続した構成を備えている。
【先行技術文献】
【特許文献】
【０００３】
【特許文献１】特開２０１１−７０９７２号公報
【特許文献２】特開２０１１−８２１３２号公報
【特許文献３】特開２０１１−９０８２８号公報
【特許文献４】特開２０１１−９１０３３号公報
【発明の概要】
【発明が解決しようとする課題】
【０００４】
ところで、白熱電球の光源であるフィラメントの発する光は周囲に拡散し、周囲を均等に照らすが、ＬＥＤランプの光源として用いられるＬＥＤチップの発する光は高い指向性を有し、前方の狭い領域を強い光で照射するという特性を備えている。
また、白熱電球のフィラメントは点灯時２０００度の高温に達することもあり、フィラメントを覆うグローブの表面が熱せられて、高温になり、これに触ると火傷するおそれがある。
これに対し、ＬＥＤランプの光源であるＬＥＤチップは点灯時の発熱量がフィラメントに比べると極めて低い。そのため点灯時、放熱体でもその温度はせいぜい数十度程度に上昇するだけであり、白熱電球に比べ点灯時におけるグローブの温度は触れることのできる程度にしかならないという特性がある。
【０００５】
本発明はＬＥＤランプの光源であるＬＥＤチップの有する高指向性及び低発熱性に着目し、その特性を利用して新規な用途を備えたＬＥＤランプを提供することを目的とする。
【課題を解決するための手段】
【０００６】
請求項１に記載の発明は、放熱体と、放熱体の一端に取り付けた口金と、放熱体の他端に装着した透光性のガラス又はプラスチック材から成るグローブと、ＬＥＤチップを実装したモジュール基板と、ＬＥＤチップに電力を供給する点灯回路とを備え、モジュール基板を放熱体に取り付けてＬＥＤチップをグローブで覆い、点灯回路と口金を電気的に接続したＬＥＤランプであって、
文字、記号若しくは図柄を表面に形成した透光性シートを前記ＬＥＤチップの直前に位置するように前記放熱体内又はグローブ内に固定し、
前記グローブの頂部に透光性シートの前記文字、記号若しくは図柄を拡大投影するためのレンズ部を形成したことを特徴とする。
【０００７】
請求項２に記載の発明は、請求項１に記載のＬＥＤランプにおいて、前記透光性シートが液晶パネルであることを特徴とする。
【０００８】
請求項３に記載の発明は、請求項１に記載のＬＥＤランプにおいて、前記グローブがプラスチック成型品であって、一端に開口を形成し、他端に頂面を形成した筒構造を有し、一端開口を前記放熱体の他端に進退可能に装着し、前記頂面にレンズ部を一体成形したことを特徴とする。
【０００９】
請求項４に記載の発明は、請求項３に記載のＬＥＤランプにおいて、前記透光性シートを取り外し可能に固定したことを特徴とする。
【発明の効果】
【００１０】
請求項１に記載の発明によれば、透光性シートの文字や図形、図柄を拡大投影でき、ＬＥＤランプを小型軽量で構造が簡単な低価格の投影手段として用いることができ、ＬＥＤランプの用途を広げることができる。
しかして、請求項１に記載の発明は、ＬＥＤチップの高指向特性と低発熱特性に着目して成されたものある。
すなわち、ＬＥＤチップの発する高指向性の光で透光性シートを照射するとともに、グローブの頂部にレンズ部を形成したので、透光性シートの図柄等を拡大投影できる。
また、ＬＥＤチップは発熱量が低いので、ＬＥＤチップの直前に透光性シートを配置してもシートがＬＥＤチップの熱で燃える、あるいは変形するといったおそれはない。
【００１１】
請求項２に記載の発明によれば、透光性シートとして液晶パネルを用いることにより、デジタルカメラで撮影した写真や動画を拡大投影するディスプレイとして用いることができる。
【００１２】
請求項３に記載の発明によれば、グローブとして頂面にレンズ部を一体成形した筒構造のプラスチック成型品を用いるので、投影手段として用いることができるＬＥＤランプを低コストで製造できる。また、グローブを放熱体に進退可能に装着したので、グローブに一体形成したレンズ部の合焦面を調整でき、ランプから離れた場所に設置したスクリーンや壁面等に透光性シートの鮮明な図柄を投影できる。
【００１３】
請求項４に記載の発明によれば、グローブを放熱体から取り外して透光性シートを別の透光性シートに交換し、投影する図柄等を変えることができる。
【図面の簡単な説明】
【００１４】
【図１】本発明の実施例に係るＬＥＤランプを示す断面図である。
【図２】同実施例に係るＬＥＤランプの分解斜視図である。
【実施例】
【００１５】
以下に本発明を図面に基づき説明するに、図１及び図２には本発明の実施例に係るＬＥＤランプ１０が示されている。当該ＬＥＤランプ１０は熱伝導性と放熱性に優れたアルミニウム等の金属材料又はセラミックス材料から成る放熱体１１と、放熱体１１の一端に取り付けられた、国際規格に則った形状、寸法を有する口金１２と、放熱体１１の他端開口部に取り付けられた透明なアクリル樹脂製グローブ１３とを備えている。
【００１６】
放熱体１１の内部には、ＬＥＤチップ１４を実装したモジュール基板１５と、ＬＥＤチップ１４に電力を供給する点灯回路１６が固定され、ＬＥＤチップ１４がグローブ１３で覆われている。そして、点灯回路１６と口金１２がリード線１７で電気的に接続されている。また、放熱体１１とグローブ１３の境界面に透光性シート１８が固定されている。
【００１７】
グローブ１３はアクリル樹脂の成型品で、一端に開口１３ａを形成し、他端に頂面１３ｂを一体成形した円筒構造を有し、頂面１３ｂは凸レンズ形状に成形されている。このグローブ１３はリング１９を介して放熱体に着脱可能に取り付けられている。グローブ１３の開口端部１３ａの内周面にネジ１３ｃが形成されている。一方、リング１９の外周面にネジ１３ｃに螺合するネジ１９ｄが形成されている。また、リング１９の３箇所にロック溝１９ａが設けられている。ロック溝１９ａはその溝幅が一端１９ｂから他端１９ｃへと漸減するように形成されている。
【００１８】
放熱体１１の他端開口にはフランジ部１１ａが設けられ、このフランジ部１１ａの３箇所にロック爪１１ｂが設けられている。放熱体１１のロック爪１１ｂをロック溝１９ａの幅広の一端１９ｂに挿入し、リング１９を時計方向に回すと、ロック爪１１ｂが幅狭のロック溝１９ａに圧入し、リング１９が放熱体１１に固定される。リング１９を反時計方向に回すと、ロック爪１１ｂがロック溝１８ａから外れるので、リング１９を放熱体１１から取り外すことができる。
グローブ１３は放熱体１１に固定したリング１９のネジ１９ｄにネジ１３ｃ部分をねじ込むことにより放熱体に対し進退可能、かつ着脱可能に取付けられている。
【００１９】
透光性シート１８はリング１９と放熱体１１のフランジ部１１ａとの間に介装され、リング１９を放熱体１１にロックすることにより、リング１９と放熱体１１のフランジ部１１ａで挟持され、ＬＥＤチップ１４の直前に配置されている。この透光性シート１８はリング１９を放熱体１１から取り外すことにより、ＬＥＤランプ１０の中から取り出すことができる。透光性シート１８は透光性プラスチックフィルムから成り、表面に図柄１８ａが印刷されている。
【００２０】
本実施例に係るＬＥＤランプ１０の構造は以上の通りであって、ＬＥＤチップ１４を点灯すると、透光性シート１８の図柄１８ａがグローブ１３の頂面のレンズ部１３ｂで拡大投影される。しかして、ＬＥＤチップ１４の発熱量は低いので、ＬＥＤチップ１４の直前に透光性シート１８を配置してもシート１８がＬＥＤチップ１４の熱で燃える、あるいは変形するといったおそれはない。
【００２１】
本実施例によれば、ＬＥＤランプ１０を小型軽量で構造が簡単な低価格の投影手段として用いることができ、ＬＥＤランプ１０の用途を広げることができる。
【００２２】
グローブ１３として、頂面にレンズ部１３ｂを一体成形した筒構造のプラスチック成型品を用いるので、投影手段として用いることができるＬＥＤランプ１０を低コストで製造できる。また、グローブ１３を放熱体に固定したリング１９に対して進退させることにより、グローブ１３に一体形成したレンズ部１３ｂの合焦面を調整でき、スクリーンや壁面等に透光性シート１８の鮮明な図柄を投影できる。
【００２３】
また、グローブ１３を放熱体１１から取り外して、透光性シート１８を交換し、投影する図柄１８ａ等を変えることができる。
【００２４】
なお、本実施例では透光性シート１８として、図柄を印刷した透光性プラスチックフィルムを用いたが、図柄の他、文字や記号を印刷したプラスチックフィルムに交換すれば、標識灯として用いることもできる。また、プラスチックフィルムに代えて液晶パネルを用い、液晶パネルの駆動制御手段に接続することにより、デジタルカメラで撮影した写真や動画を拡大投影するディスプレイとしてＬＥＤランプを用いることも可能である。
【符号の説明】
【００２５】
１０…ＬＥＤランプ
１１…放熱体
１２…口金
１３…グローブ
１３ａ…一端開口
１３ｂ…レンズ部
１３ｃ…ネジ
１４…ＬＥＤチップ
１５…モジュール基板
１６…点灯回路
１８…透光性シート
１８ａ…図柄
１９…リング
１９ｄ…ネジ
【図１】
2013051029.tif 000003
【図２】
2013051029.tif 000004